(57)【要約】【課題】印刷配線板に取り付けられるコネクタであって、小型化を図ることができるとともに容易に印刷配線板に取り付けることができるコネクタを提供する。【解決手段】コネクタ１は印刷配線板２に取り付けられるハウジング５と端子金具８とを備えている。端子金具８は二つの端子列１６，１７を構成している。各端子列１６，１７では端子金具８の一端部が互いに平行な状態でハウジング５の相手方のコネクタが嵌合する嵌合板部９に重ねられかつ印刷配線板２の表面と平行に並べられている。端子金具８の中央部８ｂが屈曲し他端部８ｃが印刷配線板２の導体パターン４に接続される。端子金具８の他端部８ｃにはハウジング５の幅方向の外側に向かって屈曲した外側屈曲部１４が設けられている。全ての端子金具８の他端部８ｃの先端がハウジング５の幅方向に沿って互いに間隔をあけて並べられている。【選択図】図４
2012054215.tif 000002
【特許請求の範囲】
【請求項１】
印刷配線板に取り付けられるハウジングと、一端部が互いに平行な状態で前記ハウジングの相手方のコネクタが嵌合する被嵌合部に重ねられかつ前記印刷配線板の表面と平行に並べられ、中央部が屈曲し、他端部が前記印刷配線板の導体パターンに接続される端子金具を複数有した端子金具列と、を備えたコネクタにおいて、
前記端子金具列の前記複数の端子金具のうち少なくとも一つの端子金具の前記他端部には、前記ハウジングの幅方向の外側に向かって屈曲した外側屈曲部が設けられて、前記複数の端子金具の前記他端部の先端が前記ハウジングの幅方向に沿って互いに間隔をあけて並べられていることを特徴とするコネクタ。
【請求項２】
前記端子金具列が、前記印刷配線板の表面に対して交差する方向に互いに間隔をあけて複数設けられ、
全ての前記端子金具列の前記端子金具の前記他端部の前記先端が前記ハウジングの幅方向に沿って互いに間隔をあけて並べられるように、前記外側屈曲部が前記端子金具の前記他端部に設けられていることを特徴とする請求項１記載のコネクタ。
【請求項３】
前記端子金具列が、前記印刷配線板の表面に対して交差する方向に互いに間隔をあけて二つ設けられ、
前記二つの端子金具列の前記端子金具の前記他端部の前記先端が前記ハウジングの幅方向に沿って互いに間隔をあけて交互に並べられるように、前記外側屈曲部が前記端子金具の前記他端部に設けられていることを特徴とする請求項１記載のコネクタ。
【請求項４】
前記端子金具列の前記複数の端子金具のうちの前記ハウジングの幅方向の中央寄りに位置する端子金具の前記外側屈曲部よりも、前記ハウジングの幅方向の外側寄りに位置する端子金具の前記外側屈曲部が、前記中央部寄りに設けられていることを特徴とする請求項１に記載のコネクタ。
【請求項５】
前記端子金具列の前記複数の端子金具のうちの前記ハウジングの幅方向の中央寄りに位置する端子金具の前記外側屈曲部の屈曲角度よりも、前記ハウジングの幅方向の外側寄りに位置する端子金具の前記外側屈曲部の屈曲角度が、大きいことを特徴とする請求項１に記載のコネクタ。
【発明の詳細な説明】
【技術分野】
【０００１】
本発明は、印刷配線板に固定されるコネクタに関する。
【背景技術】
【０００２】
印刷配線板に実装されるコネクタ（例えば、特許文献１）は、ハウジングを印刷配線板に固定し、またハウジングに装着した端子金具を印刷配線板上に半田付けにより固定する。前記端子金具は、一端部が前記ハウジング内に位置し、かつ互いに間隔をあけて前記印刷配線板の表面と平行に並べられている。端子金具は、その中央部が前記ハウジングを貫通しているとともに、前記印刷配線板に向かって略９０度屈曲している。端子金具は、他端部が印刷配線板の導体パターンに半田などにより固定される。
【先行技術文献】
【特許文献】
【０００３】
【特許文献１】特開２００７−１７９９６０号公報
【特許文献２】特開２００９−２１１５２号公報
【特許文献３】特開２０１０−２７４５６号公報
【発明の概要】
【発明が解決しようとする課題】
【０００４】
前述した特許文献１ないし特許文献３に示されたコネクタでは、端子金具の中央部が前記印刷配線板に向かって略９０度に屈曲しているだけであるために、これら端子金具のうちの互いに隣り合う端子金具の一端部間の間隔と、互いに隣り合う端子金具の他端部間の間隔とが等しくなっている。
【０００５】
一方、端子金具の一端部は、ハウジングに嵌合する相手方のコネクタの絶縁性のハウジング内に侵入するのに対し、端子金具の他端部は、前記印刷配線板の表面上で露出されてしまう。これら端子金具同士が短絡しないためには、前記端子金具の他端部間の間隔を所定の間隔よりも狭くすることができない。このため、端子金具の一端部間の間隔も前述した所定の間隔よりも狭くすることができなくなり、特許文献１ないし特許文献３に示されたコネクタでは、ハウジング即ちコネクタを小型化することが困難であった。
【０００６】
また、前述した特許文献１乃至特許文献３に示されたコネクタでは、端子金具が印刷配線板の厚み方向に間隔をあけて複数列設けている。このために、特許文献１乃至特許文献３に示されたコネクタでは、複数の端子金具の他端部が、これら端子金具の一端部の長手方向に並んでしまい、特にハウジング寄りの端子金具の他端部を印刷配線板に導体パターンに半田により取り付けることが困難となる問題があった。
【０００７】
したがって、本発明の目的は、印刷配線板に取り付けられるコネクタであって、小型化を図ることができるとともに容易に印刷配線板に取り付けることができるコネクタを提供することにある。
【課題を解決するための手段】
【０００８】
前記課題を解決し目的を達成するために、請求項１に記載の本発明のコネクタは、印刷配線板に取り付けられるハウジングと、一端部が互いに平行な状態で前記ハウジングの相手方のコネクタが嵌合する被嵌合部に重ねられかつ前記印刷配線板の表面と平行に並べられ、中央部が屈曲し、他端部が前記印刷配線板の導体パターンに接続される端子金具を複数有した端子金具列と、を備えたコネクタにおいて、前記端子金具列の前記複数の端子金具のうち少なくとも一つの端子金具の前記他端部には、前記ハウジングの幅方向の外側に向かって屈曲した外側屈曲部が設けられて、前記複数の端子金具の前記他端部の先端が前記ハウジングの幅方向に沿って互いに間隔をあけて並べられていることを特徴としている。
【０００９】
請求項２に記載の本発明のコネクタは、請求項１に記載のコネクタにおいて、前記端子金具列が、前記印刷配線板の表面に対して交差する方向に互いに間隔をあけて複数設けられ、全ての前記端子金具列の前記端子金具の前記他端部の前記先端が前記ハウジングの幅方向に沿って互いに間隔をあけて並べられるように、前記外側屈曲部が前記端子金具の前記他端部に設けられていることを特徴としている。
【００１０】
請求項３に記載の本発明のコネクタは、請求項１に記載のコネクタにおいて、前記端子金具列が、前記印刷配線板の表面に対して交差する方向に互いに間隔をあけて二つ設けられ、前記二つの端子金具列の前記端子金具の前記他端部の前記先端が前記ハウジングの幅方向に沿って互いに間隔をあけて交互に並べられるように、前記外側屈曲部が前記端子金具の前記他端部に設けられていることを特徴としている。
【００１１】
請求項４に記載の本発明のコネクタは、請求項１に記載のコネクタにおいて、前記端子金具列の前記複数の端子金具のうちの前記ハウジングの幅方向の中央寄りに位置する端子金具の前記外側屈曲部よりも、前記ハウジングの幅方向の外側寄りに位置する端子金具の前記外側屈曲部が、前記中央部寄りに設けられていることを特徴としている。
【００１２】
請求項５に記載の本発明のコネクタは、請求項１に記載のコネクタにおいて、前記端子金具列の前記複数の端子金具のうちの前記ハウジングの幅方向の中央寄りに位置する端子金具の前記外側屈曲部の屈曲角度よりも、前記ハウジングの幅方向の外側寄りに位置する端子金具の前記外側屈曲部の屈曲角度が、大きいことを特徴としている。
【００１３】
請求項１に記載した本発明のコネクタによれば、少なくとも一つの端子金具の他端部にハウジングの幅方向の外側に屈曲した外側屈曲部を設けているので、互いに隣り合う端子金具の他端部間の間隔を、互いに隣り合う端子金具の一端部間の間隔よりも大きくすることができる。
【００１４】
また、端子金具の他端部の先端がハウジングの幅方向に並べられているので、当該端子金具の他端部の先端が当該端子金具の一端部の長手方向に沿って並ぶことがない。
【００１５】
請求項２に記載した本発明のコネクタによれば、全ての端子金具列の端子金具の他端部の先端がハウジングの幅方向に並んでいるので、当該端子金具の他端部の先端が当該端子金具の一端部の長手方向に沿って並ぶことがない。
【００１６】
請求項３に記載した本発明のコネクタによれば、二つの端子金具列の端子金具の他端部の先端がハウジングの幅方向に並んでいるので、当該端子金具の他端部の先端が当該端子金具の一端部の長手方向に沿って並ぶことがない。
【００１７】
請求項４に記載した本発明のコネクタによれば、ハウジングの中央寄りに位置する端子金具の外側屈曲部よりも外側寄りに位置する端子金具の外側屈曲部が、当該端子金具の中央部寄りに設けられているので、外側寄りの端子金具の他端部の先端がよりハウジングの幅方向の外側に位置付けられることとなる。
【００１８】
請求項５に記載した本発明のコネクタによれば、ハウジングの中央寄りに位置する端子金具の外側屈曲部の屈曲角度よりも外側寄りに位置する端子金具の外側屈曲部の屈曲角度が大きいので、外側寄りの端子金具の他端部の先端がよりハウジングの幅方向の外側に位置付けられることとなる。
【発明の効果】
【００１９】
以上説明したように、請求項１に記載の本発明は、互いに隣り合う端子金具の他端部間の間隔を、互いに隣り合う端子金具の一端部間の間隔よりも大きくすることができる。即ち、互いに隣り合う端子金具の一端部間の間隔を、互いに隣り合う端子金具の他端部間の間隔よりも狭くすることができる。このため、ハウジングの幅即ちコネクタ自体の小型化を図ることが可能となる。
【００２０】
また、端子金具の他端部の先端が当該端子金具の一端部の長手方向に沿って並ぶことがないので、当該端子金具の他端部の先端を半田などにより容易に印刷配線板の導体パターンに接続することができる。
【００２１】
よって、小型化を図ることができるとともに容易に印刷配線板に取り付けることができる。
【００２２】
請求項２に記載の本発明は、全ての端子金具列の端子金具の他端部の先端がハウジングの幅方向に並んでいるので、当該端子金具の他端部の先端が当該端子金具の一端部の長手方向に沿って並ぶことがない。このために、当該端子金具の他端部の先端を半田などにより容易に印刷配線板の導体パターンに接続することができる。
【００２３】
請求項３に記載の本発明は、二つの端子金具列の端子金具の他端部の先端がハウジングの幅方向に並んでいるので、当該端子金具の他端部の先端が当該端子金具の一端部の長手方向に沿って並ぶことがない。このために、当該端子金具の他端部の先端を半田などにより容易に印刷配線板の導体パターンに接続することができる。
【００２４】
請求項４に記載の本発明は、外側寄りの端子金具の他端部の先端がよりハウジングの幅方向の外側に位置付けられることとなるので、端子金具の他端部同士を接触させることなく、互いに隣り合う端子金具の一端部間の間隔を、互いに隣り合う端子金具の他端部間の間隔よりも狭くすることができる。このため、ハウジングの幅即ちコネクタ自体の小型化を図ることが可能となる。
【００２５】
請求項５に記載の本発明は、外側寄りの端子金具の他端部の先端がよりハウジングの幅方向の外側に位置付けられることとなるので、端子金具の他端部同士を接触させることなく、互いに隣り合う端子金具の一端部間の間隔を、互いに隣り合う端子金具の他端部間の間隔よりも狭くすることができる。このため、ハウジングの幅即ちコネクタ自体の小型化を図ることが可能となる。
【図面の簡単な説明】
【００２６】
【図１】本発明の一実施形態にかかるコネクタの斜視図である。
【図２】図１に示されたコネクタを下方からみた斜視図である。
【図３】図１に示されたコネクタを後方からみた斜視図である。
【図４】図１に示されたコネクタの背面図である。
【図５】図４に示されたコネクタの第１の端子列の端子金具の位置関係を示す背面図である。
【図６】図４に示されたコネクタの第２の端子列の端子金具の位置関係を示す背面図である。
【発明を実施するための形態】
【００２７】
以下、本発明の一実施形態にかかるコネクタを、図１ないし図６を参照して説明する。本発明の一実施形態にかかるコネクタ１は、高速デジタル信号を伝送するために用いられ、印刷配線板２に取り付けられて、相手方のコネクタと嵌合する。印刷配線板２は、図１に示すように、絶縁性の基板３と、この基板３の表面上に所定のパターンで設けられた導電性の導体パターン４とを備えている。
【００２８】
コネクタ１は、図１、図２及び図３に示すように、ハウジング５と、シールドシェル６と、固定部材７と、複数の端子金具８と、を備えている。
【００２９】
ハウジング５は、絶縁性の合成樹脂からなる。ハウジング５は、図１に示すように、被嵌合部としての嵌合板部９と、仕切り壁部１０（図３に示す）とを一体に備えて、扁平に形成されている。嵌合板部９は、扁平な平板状に形成されている。嵌合板部９の両表面には、端子金具８の後述する一端部８ａが互いに平行な状態で重ねられる。嵌合板部９は、相手方のコネクタのハウジング内に進入するなどして、当該相手方のコネクタのハウジングが嵌合する。
【００３０】
なお、本明細書では、端子金具８の一端部８ａの長手方向と平行で相手方のコネクタと嵌合する方向を嵌合板部９即ちハウジング５の長手方向とよび、端子金具８の一端部８ａの長手方向即ち相手方のコネクタと嵌合する方向と直交しかつ端子金具８の一端部８ａ同士が並ぶ方向を嵌合板部９即ちハウジング５の幅方向とよぶ。
【００３１】
仕切り壁部１０は、嵌合板部９の長手方向の一方の縁に連なった扁平な平板状に形成されている。仕切り壁部１０の両表面は、嵌合板部９の両表面に対して直交している。また、本実施形態では、仕切り壁部１０は、嵌合板部９の一方の縁の全周から当該嵌合板部９の外側に向かって突出した格好となっている。
【００３２】
シールドシェル６は、厚手の板金に折り曲げ加工などが施されて得られ、ハウジング５の嵌合板部９の周りを覆って、仕切り壁部１０の外縁に取り付けられている。シールドシェル６は、ハウジング５の嵌合板部９と間隔をあけている。シールドシェル６は、端子金具８などに電気的なのノイズが侵入することを防止する。
【００３３】
固定部材７は、厚手の板金で構成され、シールドシェル６の幅方向の両側面に重ねられて、当該シールドシェル６に取り付けられる。また、固定部材７は、突出部１１（図２及び図３などに示す）が印刷配線板２に設けられた孔１２内に挿入されて、半田などにより図示しないアース回路に電気的及び機械的に接続される。固定部材７は、シールドシェル６即ちハウジング５を印刷配線板２に固定する。
【００３４】
端子金具８は、導電性の金属で構成され、棒状に形成されている。端子金具８は、一端部８ａ（図１に示す）が互いに平行な状態でハウジング５の嵌合板部９の両表面に重ねられる。また、複数の端子金具８の一端部８ａは、印刷配線板２の基板３の表面と平行に互いに間隔をあけて並べられている。端子金具８は、中央部８ｂ（図３に示す）が仕切り壁部１０を貫通して、印刷配線板２に向かって略９０度屈曲している。端子金具８は、他端部８ｃ（図２及び図３に示す）の先端に印刷配線板２の導体パターン４に重ねられて、当該導体パターン４に半田などにより接続される接続部１３が設けられている。接続部１３の長手方向は、一端部８ａの長手方向と平行である。
【００３５】
複数の端子金具８の他端部８ｃには、図４に示すように、外側屈曲部１４と、鉛直屈曲部１５とが設けられている。外側屈曲部１４は、鉛直屈曲部１５よりも端子金具８の中央部８ｂ寄りに設けられている。外側屈曲部１４は、中央部８ｂから他端部８ｃに向かうにしたがって、ハウジング５の幅方向の外側に向かって屈曲している。なお、本明細書において、ハウジング５の幅方向の外側に向かって屈曲するとは、各端子金具８の他端部８ｃから近いほうのハウジング５の幅方向の外側面に向かって屈曲することをいう。鉛直屈曲部１５は、中央部８ｂから他端部８ｃに向かうにしたがって、印刷配線板２の基板３の表面に対して直交する方向に沿って、当該印刷配線板２に向かって屈曲している。このように、端子金具８の他端部８ｃには、その中央部８ｂ側から順に外側屈曲部１４、鉛直屈曲部１５及び接続部１３が設けられている。
【００３６】
また、端子金具８のうちの嵌合板部９の図１中上側の表面に一端部８ａが重ねられる端子金具８は、端子金具列としての第１の端子列１６を構成し、端子金具８のうちの嵌合板部９の図１中下側の表面に一端部８ａが重ねられる端子金具８は、端子金具列としての第２の端子列１７を構成する。このため、勿論、第１及び第２の端子列１６，１７は、複数の端子金具８を備えている。このように、第１及び第２の端子列１６，１７は、印刷配線板２の基板３の表面に対して直交（交差）する方向に沿って互いに間隔をあけて設けられている。
【００３７】
第１の端子列１６の端子金具８の他端部８ｃでは、図５に示すように、外側屈曲部１４の屈曲角度が互いに等しくなっている。なお、本明細書において、屈曲角度とは、互いの間に外側屈曲部１４を挟む部分同士のなす角度を示している。また、第１の端子列１６の端子金具８の他端部８ｃでは、ハウジング５の幅方向の中央から幅方向の外側に向かうにしたがって、外側屈曲部１４が、徐々に端子金具８の中央部８ｂに近くなる位置に設けられている。即ち、第１の端子列１６の互いに隣り合う端子金具８の他端部８ｃでは、ハウジング５の幅方向の中央寄りに位置する端子金具８の外側屈曲部１４よりもハウジング５の幅方向の外側寄りに位置する端子金具８の外側屈曲部１４が、当該端子金具８の中央部８ｂ寄りに設けられている。
【００３８】
第２の端子列１７の端子金具８のうちのハウジング５の幅方向の中央に位置する端子金具８は、図６に示すように、前述した外側屈曲部１４及び鉛直屈曲部１５とが設けられていない。第２の端子列１７の端子金具８の他端部８ｃでは、ハウジング５の幅方向の中央から幅方向の外側に向かうにしたがって、外側屈曲部１４が、徐々に中央部８ｂに近くなる位置に設けられている。即ち、第２の端子列１７の互いに隣り合う端子金具８の他端部８ｃでは、ハウジング５の幅方向の中央寄りに位置する端子金具８の外側屈曲部１４よりもハウジング５の幅方向の外側寄りに位置する端子金具８の外側屈曲部１４が、当該端子金具８の中央部８ｂ寄りに設けられている。
【００３９】
さらに、第２の端子列１７の端子金具８の他端部８ｃでは、図６に示すように、ハウジング５の幅方向の中央から幅方向の外側に向かうにしたがって、外側屈曲部１４の屈曲角度が、徐々に大きくなるように形成されている。即ち、第２の端子列１７の互いに隣り合う端子金具８の他端部８ｃでは、ハウジング５の幅方向の中央寄りに位置する端子金具８の外側屈曲部１４の屈曲角度よりもハウジング５の幅方向の外側寄りに位置する端子金具８の外側屈曲部１４の屈曲角度が、大きくなっている。
【００４０】
各端子列１６，１７の端子金具８の他端部８ｃの外側屈曲部１４が、前述したように形成されていることで、これら二つの端子列１６，１７の端子金具８の他端部８ｃの先端に設けられた接続部１３が、図２及び図３に示すように、ハウジング５の幅方向に沿って互いに間隔をあけかつ交互に並べられている。要するに、二つの端子列１６，１７の端子金具８の接続部１３が、ハウジング５の幅方向に沿って互いに間隔をあけかつ交互に並べられるように、外側屈曲部１４が各端子金具８の他端部８ｃに設けられている。
【００４１】
また、各端子列１６，１７の端子金具８の他端部８ｃの外側屈曲部１４が、前述したように形成されていることで、全ての端子列１６，１７の端子金具８の他端部８ｃの先端に設けられた接続部１３が、図２及び図４に示すように、ハウジング５の幅方向に沿って互いに間隔をあけて並べられている。要するに、全ての端子列１６，１７の端子金具８の接続部１３が、ハウジング５の幅方向に沿って互いに間隔をあけて並べられるように、外側屈曲部１４が各端子金具８の他端部８ｃに設けられている。即ち、本実施形態のコネクタ１では、複数の端子金具８の他端部８ｃに設けられた接続部１３が、ハウジング５の幅方向に沿って互いに間隔をあけて並べられている。
【００４２】
前述した構成のコネクタ１は、端子金具８のうちの一部の端子金具８が高速デジタル信号伝送用の差動ペアとなる一対の端子金具のうちの一方をなし、他の一部の端子金具８が前述した差動ペアとなる一対の端子金具のうちの他方をなし、残りの端子金具８がアース回路に接続されるグランド用の端子金具をなして、高速デジタル信号伝送に用いられる。
【００４３】
本実施形態によれば、端子金具８の他端部８ｃにハウジング５の幅方向の外側に屈曲した外側屈曲部１４を設けているので、互いに隣り合う端子金具８の他端部８ｃ間の間隔を、互いに隣り合う端子金具８の一端部８ａ間の間隔よりも大きくすることができる。即ち、互いに隣り合う端子金具８の一端部８ａ間の間隔を、互いに隣り合う端子金具８の他端部８ｃ間の間隔よりも狭くすることができる。このため、ハウジング５の幅即ちコネクタ１自体の小型化を図ることが可能となる。
【００４４】
また、端子金具８の他端部８ｃの先端がハウジング５の幅方向に並べられているので、当該端子金具８の他端部８ｃの先端に設けられた接続部１３が当該端子金具８の一端部８ａの長手方向に沿って並ぶことがない。このために、端子金具８の他端部８ｃの先端に設けられた接続部１３を半田などにより容易に印刷配線板２の導体パターン４に接続することができる。
【００４５】
よって、小型化を図ることができるとともに容易に印刷配線板に取り付けることができる。
【００４６】
また、全て即ち二つの端子列１６，１７の端子金具８の他端部８ｃの先端がハウジング５の幅方向に並んでいるので、当該端子金具８の他端部８ｃの先端に設けられた接続部１３が当該端子金具８の一端部８ａの長手方向に沿って並ぶことがない。このために、端子金具８の他端部８ｃの先端に設けられた接続部１３を半田などにより容易に印刷配線板２の導体パターン４に接続することができる。
【００４７】
ハウジング５の中央寄りに位置する端子金具８の外側屈曲部１４よりも外側寄りに位置する端子金具８の外側屈曲部１４が、当該端子金具８の中央部８ｂ寄りに設けられているので、外側寄りの端子金具８の他端部８ｃの先端に設けられた接続部１３がよりハウジング５の幅方向の外側に位置付けられることとなる。このために、端子金具８の他端部８ｃ同士を接触させることなく、互いに隣り合う端子金具８の一端部８ａ間の間隔を、互いに隣り合う端子金具８の他端部８ｃ間の間隔よりも狭くすることができる。このため、ハウジング５の幅即ちコネクタ１自体の小型化を図ることが可能となる。
【００４８】
ハウジング５の中央寄りに位置する端子金具８の外側屈曲部１４の屈曲角度よりも外側寄りに位置する端子金具８の外側屈曲部１４の屈曲角度が大きいので、外側寄りの端子金具８の他端部８ｃの先端に設けられた接続部１３がよりハウジング５の幅方向の外側に位置付けられることとなる。このために、端子金具８の他端部８ｃ同士を接触させることなく、互いに隣り合う端子金具８の一端部８ａ間の間隔を、互いに隣り合う端子金具８の他端部８ｃ間の間隔よりも狭くすることができる。このため、ハウジング５の幅即ちコネクタ１自体の小型化を図ることが可能となる。
【００４９】
前述した実施形態では、被嵌合部としての嵌合板部９が扁平な平板状に形成されていたが、本発明では、被嵌合部が筒状に形成されてもよい。この場合、端子金具８の一端部８ａは、被嵌合部内に位置付けられて、当該被嵌合部を構成する壁面から間隔をあけて重ねられることとなる。さらに、本発明のコネクタ１は、シールドシェル６を設けなくてもよい。
【００５０】
また、前述した実施形態では、端子列１６，１７を二つ設けたが、本発明では、これに限定されることなく、端子列１６，１７を１又は３つ以上設けてもよい。さらに、本発明のコネクタ１は、高速デジタル信号伝送以外の用途にも用いられてもよい。また、本発明では、必ずしも全ての端子金具８に外側屈曲部１４を設けなくてもよく、要するに、本発明では、他端部８ｃの先端に設けられた接続部１３がハウジング５の幅方向に並ぶのであれば、少なくとも一以上の端子金具８に設ければよい。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５２】
１  コネクタ
２  印刷配線板
４  導体パターン
５  ハウジング
８  端子金具
８ａ  一端部
８ｂ  中央部
８ｃ  他端部
９  嵌合板部（被嵌合部）
１４  外側屈曲部
１６  第１の端子列（端子金具列）
１７  第２の端子列（端子金具列）
【図１】
2012054215.tif 000003
【図２】
2012054215.tif 000004
【図３】
2012054215.tif 000005
【図４】
2012054215.tif 000006
【図５】
2012054215.tif 000007
【図６】
2012054215.tif 000008